(57)【要約】【課題】データを記憶するディスクと該ディスクを回転するモータとデータを読み書きするヘッドが、ディスクエンクロージャー内に収納された記憶媒体装置において、ディスク等の部品の摺動等により発生する異物等を外部に放出して内部をクリーン状態にし、異物等によるヘッドやプラッタ表面への亀裂等による破壊を防止できる記憶媒体装置の防塵機構を実現することを課題とする。【解決手段】記憶媒体装置には、ディスクエンクロージャー内の塵埃を放出するための開閉扉が設けられてなることを特徴とする。【選択図】  図１
2005025886.tif 000002
【特許請求の範囲】
【請求項１】
データを記憶する記憶媒体と該記憶媒体を回転させるモータとデータを読み書きするヘッドが、ディスクエンクロージャー内に収納された記憶媒体装置において、
前記記憶媒体装置には、前記ディスクエンクロージャー内の塵埃を放出するための開閉扉が設けられてなることを特徴とする記憶媒体装置の防塵機構。
【請求項２】
前記開閉扉は、前記ディスクエンクロージャー本体に設けられてなることを特徴とする請求項１記載の記憶媒体装置の防塵機構。
【請求項３】
前記開閉扉は、前記記憶媒体を覆うカバーに設けられてなることを特徴とする請求項１記載の記憶媒体装置の防塵機構。
【請求項４】
前記開閉扉は、前記記憶媒体を駆動させるモータの回転の動作、非動作により、開閉モードが調整制御されてなることを特徴とする請求項１又は２又は３記載の記憶媒体装置の防塵機構。
【請求項５】
前記開閉扉の開閉モードは、前記モータが停止した時、閉鎖手段により自動的に閉鎖されてなることを特徴とする請求項４記載の記憶媒体装置の防塵機構。
【請求項６】
前記閉鎖手段は、バネ力を有する弾性体を用いてなることを特徴とする請求項５記載の記憶媒体装置の防塵機構。
【請求項７】
前記開閉扉の開閉モードは、前記モータが予め設定された定常回転数以下の場合には閉鎖の状態にあり、定常回転数以上の場合には開口の状態になるように、当該開閉扉が開閉手段により調整制御されてなることを特徴とする請求項４記載の記憶媒体装置の防塵機構。
【請求項８】
前記開閉手段は、前記モータが定常回転数以上の場合に発生する風圧を利用することを特徴とする請求項７記載の記憶媒体装置の防塵機構。
【請求項９】
前記風圧を利用した開閉手段は、ディスクの回転により発生する風量を前記開閉扉部位に送り込むために設けられたエアー流路を用いることを特徴とする請求項８記載の記憶媒体装置の防塵機構。
【発明の詳細な説明】
【０００１】
【発明の属する技術分野】
データを記憶する記憶媒体と該記憶媒体を回転させるモータとデータを読み書きするヘッドが、ディスクエンクロージャー（以降、ＤＥと称す）内に収納されたＨＤＤ等の記憶媒体装置において、該記憶媒体装置内への外部からの塵埃等の侵入を防止し、さらに該記憶媒体装置内から発生する塵埃を外部に放出する機構に係り、特に、記憶媒体装置であるＨＤＤ等から発生する塵埃を外部に放出する防塵機構に関する。
【０００２】
【従来の技術】
データを記憶するディスクと該ディスクを回転させるモータとデータを読み書きするヘッドが、ディスクエンクロージャー（以降、ＤＥと称す）内に収納されたＨＤＤ等の記憶媒体装置は、一般に外部からの塵埃等の侵入を防止するためカバーに覆われ、密閉構造に形成されている。そして、この記憶媒体装置には記憶媒体装置内の圧力と外気圧との圧力差を緩衝する圧力緩衝機構を備えたものがある。
【０００３】
この記憶媒体装置は、特に外気温や外気圧が大きく変化するような厳しい環境下で使用される車載用ハードディスクに用いられ、ハードディスクを使用する時に、温度変化が発生しても内部の圧力と外気圧とが等しくなるように、ＤＥ本体内に圧力緩衝機構と連通した呼吸孔等が設けられている。この圧力緩衝機構は、内部に圧力を緩衝する気泡等を有する弾性体、又は伸縮可能なジャバラ状のゴム材等でなる弾性体等で形成されており、ＤＥ本体内に設けられた呼吸孔を覆うように、ＤＥ本体に設置されている。
【０００４】
この圧力緩衝機構を備えた記憶媒体装置は、内部の圧力と外気圧が略均一に緩衝調整され、且つ外部からの水蒸気、塵埃等の侵入を防止するようにされているが、記憶媒体装置内に収納されたディスク等の部品、特にＨＤＤ等に備えられたディスク等の部品から発生する塵埃等は、外部に放出されることなく内部に残留した状態となっている（例えば、特許文献１参照。）。
【０００５】
この出願の発明に関する先行技術文献としては次のものがある。
【０００６】
【特許文献１】
特開２０００−９１７５９号公報
【０００７】
【発明が解決しようとする課題】
上述のように、ディスク等の部品がディスクエンクロージャー内に収納されたＨＤＤ等の記憶媒体装置では、外部からの塵埃等の侵入は防止されているが、記憶媒体装置内に収納されたディスク等の部品、特にＨＤＤ等に収納されたディスク等の部品の摺動で発生する異物等が内部に残留するため、異物等がヘッドやプラッタ表面に付着してクラッシュの原因になる恐れがでてくる。そして、このクラッシュにより、ヘッドやプラッタ表面が傷つき、破壊される問題がある。
【０００８】
本発明は、上記のような問題に鑑みなされたもので、記憶媒体装置内に収納されたディスク等の部品、特にＨＤＤ等に収納されたディスク等の部品の摺動等により異物等が発生しても、記憶媒体装置内の圧力と外気圧との圧力差を利用して、異物等を外部に放出して内部をクリーン状態にし、異物等によるヘッドやプラッタ表面への亀裂等による破壊を防止できる記憶媒体装置の防塵機構を実現することを課題とする。
【０００９】
【課題を解決するための手段】
上記目的を達成するために、本発明は、データを記憶する記憶媒体と該記憶媒体を回転させるモータとデータを読み書きするヘッドが、ディスクエンクロージャー内に収納された記憶媒体装置において、前記記憶媒体装置には、前記ディスクエンクロージャー内の塵埃を放出するための開閉扉が設けられてなることを特徴とするものである。
【００１０】
また、前記開閉扉は、前記ディスクエンクロージャー本体に設けられてなることを特徴とするものである。
【００１１】
また、前記開閉扉は、前記記憶媒体を覆うカバーに設けられてなることを特徴とするものである。
【００１２】
また、前記開閉扉は、前記記憶媒体を駆動させるモータの回転の動作、非動作により、開閉モードが調整制御されてなることを特徴とするものである。
【００１３】
また、前記開閉扉の開閉モードは、前記モータが停止した時、閉鎖手段により自動的に閉鎖されてなることを特徴とするものである。
【００１４】
また、前記閉鎖手段は、バネ力を有する弾性体を用いてなることを特徴とするものである。
【００１５】
また、前記開閉扉の開閉モードは、前記モータが予め設定された定常回転数以下の場合には閉鎖の状態にあり、定常回転数以上の場合には開口の状態になるように、当該開閉扉が開閉手段により調整制御されてなることを特徴とするものである。
【００１６】
また、前記開閉手段は、前記モータが定常回転数以上の場合に発生する風圧を利用することを特徴とするものである。
【００１７】
また、前記風圧を利用した開閉手段は、ディスクの回転により発生する風量を前記開閉扉部位に送り込むために設けられたエアー流路を用いることを特徴とするものである。
【００１８】
【発明の実施の形態】
本発明の第１の実施の形態に係る記憶媒体装置の防塵機構１０について、図面を参照して説明する。
【００１９】
図１は本発明の第１の実施の形態に係る記憶媒体装置の防塵機構を示す斜視図で、図２は本発明の第１の実施の形態に係る記憶媒体装置の防塵機構を示す詳細図で、（ａ）は扉の開閉状態斜視図、（ｂ）は扉の設置状態断面図、（ｃ）は支軸の伸縮状態断面図である。尚、第１の実施の形態に係るものから第２の実施の形態に係るものまでの同一構成品は、本第１の実施の形態に係るもので説明し、第２の実施の形態では説明を省略する。
【００２０】
第１の実施の形態に係る記憶媒体装置の防塵機構１０は、例えば、ＨＤＤ等でなる記憶媒体装置１に設けられており、記憶媒体装置１に収納されたディスク６等の内部の部品の摺動等により発生した異物を、ディスク６の回転により発生する空気の流れを利用して外部に放出する機能を有したものである。
【００２１】
この防塵機構１０が設置されているＨＤＤ等の記憶媒体装置１は、例えば、図１に示すように、ディスクエンクロージャー（以降、ＤＥと称す）の本体ケース２と、データを記録するディスク６と、ディスク６を回転させるモータ７と、ディスク６にデータを読み書きするヘッド５と、ヘッド５の位置を調整する駆動装置４と、ＤＥの本体ケース２への外部からの塵埃等の侵入を防ぐために設けられたＯリング８等が装着された上カバー３と取付ネジ９等により構成されている。
【００２２】
そして、防塵機構１０は、例えば、図２に示すように、上カバー３に設置された第１扉１１とＤＥの本体ケース２の側面に設置された第２扉１２とよりなり、この扉１１（又は、１２）をバネの反力で閉鎖するための弾性体１３と、扉１１（又は、１２）を開閉させる支軸１４とシール材１６等より構成されている。
【００２３】
第１扉１１は、例えば、片端部１１ａが支軸１４を挿入嵌合できる円形状に形成され、片端部１１ａの中央部近辺には弾性体１３を装着するための切り欠き部１１ｂが設けられ、薄板の角型形状に金属材等で成形されている。この第１扉１１は、支軸１４と弾性体１３を介して上カバー３に開閉可能な状態で上カバー３に設けられた通風孔３ｃを塞ぐように設置され、ＨＤＤ等の非動作時には弾性体１３の反力で押圧されて閉じられ、上カバー３の通風孔３ｃが閉鎖されるようになっている。この第１扉１１による通風孔３ｃの閉鎖は、シール材１６を介して上カバー３の取付面３ａを第１扉１１の裏面で押圧して行われているため、外部からの塵埃等の内部への侵入が防止されている。
【００２４】
そして、ＨＤＤ等の動作時にはディスク６の回転により発生する風圧等に基因した内外圧差により、例えば、ＤＥの本体ケース２に設けられた吸入孔（図示せず）からのフィルタ（図示せず）を介して吸入した風量等により、第１扉１１は支軸１４を介して外部方向Ｒ１１に開口され、ＨＤＤ内のディスク６等の内部部品の摺動等により発生した異物が外部に放出される。
【００２５】
第２扉１２は、支軸１４を介して本体ケース２の側面部に開閉可能な状態で設置されており、第１扉１１と略同一機能を有する形状に金属材等で成形されている。尚、本第１の実施の形態に係わるものの第２扉１２は第１扉１１と略同一機能を有したものなので、第１扉１１を備えた防塵機構１０の構成について説明し、第２扉１２を備えた防塵機構１０の説明は省略する。
【００２６】
支軸１４は、図２（ｃ）に示すように、円柱形状に金属材等で形成され、扉１１の円形状に形成された片端部１１ａに挿入嵌合された状態で、上カバー３の裏面に設けられた嵌合孔を有するボス部９に回転可能に嵌め込み設置されている。
【００２７】
そして、この支軸１４はスライド可能に、左右の支軸１４ａ、１４ｂに２分割されており、軸方向の寸法Ｌ１１が伸縮自在に変えられるように、内部に伸縮バネ１５等が装着され、支軸１４の寸法Ｌ１１を縮めた状態でボス部９の嵌合孔に位置決めした後、伸縮バネにより支軸１４の寸法Ｌ１１が伸ばされて嵌合孔に挿入嵌合されるようになっている。
【００２８】
弾性体１３は、支軸１４に嵌め込み可能な少なくとも１重巻きで、その両端がそれぞれ扉１１の表面部１１ｃと上カバー３の裏面部３ｂを当接押圧できる所定寸法の長さを有する形状にバネ材等で成形されている。この弾性体１３は、第１扉１１と一緒に支軸１４に嵌め込まれた状態で、上カバー３のボス部９に設置される。この弾性体１３と上カバー３のボス部９への設置は、扉１１で上カバー３に設けられた通風孔３ｃを閉鎖した時、弾性体１３の左端部１３ａが扉１１の表面部１１ｃを当接押圧して、シール材１６を介して上カバー３の取付面３ａを抑え、弾性体１３の右端部１３ｂは上カバー３の裏面部３ｂに当接係止された状態になるように、歪まされて行われる。即ち、この弾性体１３は、歪まされた状態で設置されるような形状に予め設定されたものであり、この形状は歪みによる反力を扉１１の開閉力（ディスク６の回転により発生する風圧を利用した力）等から算出し、この算出値を基準にして設定される。
【００２９】
又、このディスク６の回転により発生する風圧は、ディスク６の回転数により変化するので、ディスク６の回転数が定常回転数以下の時の風圧では扉１１は開口せず、定常回転数以上の時の風圧により扉１１が開口するように設定することができる。
【００３０】
シール材１６は、薄板状のゴム材等で成形されたもので、上カバー３の取付面３ａに貼付されている。このシール材１６は、扉１１の閉鎖時に、扉１１の表面部１１ｃに加えられた弾性体１３の反力により歪まされて上カバー３の取付面３ａを押圧し、外部から塵埃等が内部に侵入しないようにされたものである。
【００３１】
上カバー３（又は、ＤＥ本体ケース２）に設置された記憶媒体装置の防塵機構１０は、閉鎖時には、図２に示すように、扉１１の円形状に形成された片端部１１ａに支軸１４と弾性体１３が挿入され、扉１１が上カバー３の通風孔３ｃを塞ぐ位置で、支軸１４が縮められて、上カバー３の裏面に設けられたボス部９の嵌合孔に挿入装着された状態になっている。この時、弾性体１３の右端部１３ｂは上カバー３の裏面部３ｂに当接係止され、弾性体１３は歪まされて、弾性体１３の左端部１３ａが扉１１の表面部１１ｃを当接押圧し、シール材１６を介して上カバー３の取付面３ａを押えるようにして、上カバー３の通風孔３ｃが閉鎖されているため、外部からの塵埃等の内部への侵入が防止されている。
【００３２】
そして、ＨＤＤ等の動作時にはディスク６の回転により発生する風圧、又は、消費熱等に基因した内外圧差により、ＤＥの本体ケース２に設けられた吸入孔（図示せず）からフィルタ（図示せず）を介して外気が吸入され、この吸入された風量を利用してディスク６の回転で発生する風圧により、例えば、ディスク６の回転数が定常回転数以上の時に発生する所定風圧により、第１扉１１は支軸１４を介して外部方向Ｒ１１に開口され、ＨＤＤ等の内部の各部品の摺動等により発生した異物等が外部に放出される。そして、ディスク６の回転数が定常回転数以下になると、風圧が所定値以下になり、第１扉１１は弾性体１３の反力により閉鎖されることになる。
【００３３】
尚、本第１の実施の形態に係わるものでは、開閉扉１１、１２を上カバー３とＤＥの本体ケース２の各１ヶ所に設置するようにしているが、これにこだわることなく、記憶媒体装置１の仕様に基づいて、どちらか一方に設置するか、又は数ヶ所に設置するようにしても良い。
【００３４】
尚、本第１の実施の形態に係わるものでは、開閉扉１１（又は、１２）の閉鎖を弾性体１３を用いて行っているが、これにこだわることなく、バネ性を有する樹脂材等を用いて上カバー３（又は、ＤＥの本体ケース２）と開閉扉とを一体成形するか、又は、内部と外部の圧力差を検出し、回転モータ等を用いて開閉扉を開閉するようにしても良い。
【００３５】
尚、本第１の実施の形態に係わるものでは、開閉扉１１（又は、１２）の形状を四角型形状にし、開閉方向を一方向に限定しているが、これにこだわることなく、形状は半円形状又は三角形状等にし、開閉方向は任意に設定することができる。
【００３６】
以上のように、ディスク６等の部品がＤＥの本体２内にカバー３に覆われた状態で収納されたＨＤＤ等の記憶媒体装置１において、記憶媒体装置１内の圧力と外気圧との圧力差を利用して開閉する扉１１、１２を有する防塵機構１０を設けることにより、外部から塵埃等が侵入することなく、記憶媒体装置１内に収納されたディスク６等の部品、特にＨＤＤ１等に収納されたディスク６等の部品の摺動等により発生した異物等を外部に放出することができるため、ＤＥの本体２内部をクリーン状態にし、異物等によるヘッド５やディスク６の表面へのクラッシュ等による亀裂や破壊を防止することができる。
【００３７】
次に、本発明の第２の実施の形態に係る記憶媒体装置の防塵機構２０について、図３を参照して説明する。
【００３８】
図３は本発明の第２の実施の形態に係る記憶媒体装置の防塵機構を示す斜視図で、（ａ）は外観斜視図、（ｂ）はエアー流路部を示す第２扉部の断面図で、（ｃ）はエアー流路部を示す第１扉部の断面図である。
【００３９】
本発明の第２の実施の形態に係る記憶媒体装置の防塵機構２０は、図３に示すように、第１の実施の形態に係るものに対し、ディスク６の回転により発生する空気の流れ（風圧を伴った流れ）に基因した風量をエアー流路部３０を用いてＤＥ本体２の側面に設けられた開閉扉４２（又は、カバー３に設けられた開閉扉４１）に導き、各開閉扉４１、４２の開閉を容易にするようにしたものである。
【００４０】
この防塵機構２０が設置されているＨＤＤ等の記憶媒体装置１は、第１の実施の形態に係るものと同じように、例えば、図３に示すように、ＤＥの本体ケース２と、データを記録するディスク６と、ディスク６を回転させるモータ７と、ディスク６にデータを読み書きするヘッド５と、ヘッド５の位置を調整する駆動装置４と、本体ケース２への外部からの塵埃等の侵入を防ぐために設けられたＯリング８が装着された上カバー３と取付ネジ９等により構成されている。
【００４１】
そして、防塵機構２０は、例えば、図３に示すように、上カバー３に設置された第１扉４１とＤＥの本体ケース２の側面に設置された第２扉４２とよりなる開閉扉部４０と、この扉４１（又は、４２）を効率良く開閉するために設けられた風量（ディスク６の回転により発生する風圧により得られたもの）を扉４１（又は、４２）に導くためのエアー流路部３０等より構成されている。
【００４２】
第１扉４１と第２扉４２とよりなる開閉扉部４０は、第１の実施の形態に係るものと略同一機能を有し、同一構成（弾性体と支軸とシール材をそれぞれ有している第１扉１１と第２扉１２と同じもの）であるため説明を省略し、エアー流路部３０に関わる構成についてのみ説明する。
【００４３】
エアー流路部３０は、図３に示すように、ディスク６の回転により発生する空気の流れ（風圧を伴った流れ）に基因した風量を矢印Ｖ２１方向に向けて、扉４１（又は、４２）に導くためのダクト３１と、この風量を直接的に扉４１（又は、４２）に吹き付けるための第１誘導板３２（又は、第２誘導板３３）とよりなり、カバー３の裏面に設置されている。
【００４４】
ダクト３１は、カバー３の裏面に設置され、カバー３をＤＥの本体ケース２に組み付けた時、ディスク６の上面との間に僅かな隙間ができるように設定されている。また、ダクト３１の断面は、風量を取り入れる側３１ａの幅を広くし、風量を放出する側３１ｂの幅を狭くして、風圧が大きくなるような形状に形成されている。このダクト３１は、ディスク６の回転により発生する風圧に基因した風量を矢印Ｖ２１方向に向けて集束し、扉４１（又は、４２）の位置まで導き、第１誘導板３２（又は、第２誘導板３３）を介して扉４１（又は、４２）に吹き付け、扉４１（又は、４２）を効率良く開口するものである。
【００４５】
第１誘導板３２は、例えば、図３（ｃ）に示すように、ダクト３１の風量を放出する側３１ｂに一体成形され、ダクト３１をカバー３に設置した時、上カバー３に設置された第１扉４１に対向する位置になるように設定されている。この第１誘導板３２は、ダクト３１により、矢印Ｖ２１方向に向けて集束された風量を傾斜して形成された底面で反射させて第１扉４１に向けて吹き付け、第１扉４１を効率良く開口するものである。
【００４６】
第２誘導板３３は、例えば、図３（ｂ）に示すように、ダクト３１の風量を放出する側３１ｂに一体成形され、ダクト３１をカバー３に設置した時、ＤＥの本体ケース２の側面に設置された第２扉４２に対向する位置になるように設定されている。この第２誘導板３３は、ダクト３１により、矢印Ｖ２１方向に向けて集束された風量を傾斜して形成された上面と底面で反射させて第２扉４２に向けて吹き付け、第２扉４２を効率良く開口するものである。
【００４７】
以上のように、本第２の実施の形態に係る記憶媒体装置の防塵機構２０は、第１の実施の形態に係る防塵機構１０にエアー流路部３０を付加して、より効率的に開閉扉から風量を放出するようにしたものなので、ディスク６等の部品の摺動等により発生した異物等を効率良く外部に放出することができるため、ＤＥの本体２内部をクリーン状態にし、異物等によるヘッド５やディスク６の表面へのクラッシュ等による亀裂や破壊をより正確に防止することができる。
【００４８】
【発明の効果】
以上説明したように、本発明によれば、記憶媒体装置の防塵機構では、記憶媒体装置１内の圧力と外気圧との圧力差に基因した空気の流れによる風量（又は、エアー流路部等を設けて空気の流れが集束された風量）を利用して内部の空気を外部に放出する開閉扉を備えた防塵機構を設けることにより、外部から塵埃等が侵入することなく、記憶媒体装置１、特にＨＤＤに収納されたディスク６等の部品の摺動等により発生した異物等を外部に放出することができる。よって、ＤＥの本体２内部をクリーン状態にし、異物等によるヘッド５やディスク６の表面へのクラッシュ等による亀裂や破壊を防止することができる。
【図面の簡単な説明】
【図１】本発明の第１の実施の形態に係る記憶媒体装置の防塵機構を示す斜視図である。
【図２】本発明の第１の実施の形態に係る記憶媒体装置の防塵機構を示す詳細図である。
【図３】本発明の第２の実施の形態に係る記憶媒体装置の防塵機構を示す斜視図である。
【符号の説明】
１・・・記憶媒体装置
２・・・ディスクエンクロージャー（ＤＥと称す）
３・・・上カバー
４・・・駆動装置
５・・・ヘッド
６・・・ディスク
７・・・モータ
８・・・Ｏリング
９・・・取付ネジ
１０、２０・・・防塵機構
１１、４１・・・第１扉
１２．４２・・・第２扉
１３、４３・・・弾性体
１４、４４・・・支軸
１５・・・伸縮バネ
１６、４６・・・シール材
３０・・・エアー流路部
３１・・・ダクト
３２・・・第１誘導板
３３・・・第２誘導板
４０・・・開閉扉部
【図１】
2005025886.tif 000003
【図２】
2005025886.tif 000004
【図３】
2005025886.tif 000005